(57)【要約】【課題】開閉部分での残水を防止して水抜き性能を向上させる。【解決手段】風呂給湯器において、落とし込み管４１における２つの逆止弁４４，４４との間に形成される分岐経路８３に設けられ、給湯回路側の水圧が浴槽側の水圧より高い場合には、分岐経路８３に設けた弁座８９に着座して分岐経路８３を閉塞する閉弁位置に動作し、給湯回路側の水圧が浴槽側の水圧より低い場合には、弁座８９から離間して分岐経路８３を開放する開弁位置に動作する縁切弁４５であって、弁座８９との着座部分の外側に、開弁位置で弁座８９との間での湯水の滞留を防止する切欠き９６が形成されている。【選択図】図８
2019066111.tif 000002
【特許請求の範囲】
【請求項１】
バーナ及び熱交換器を有する給湯回路と、前記給湯回路から外部の浴槽へ接続されて前記給湯回路からの湯を前記浴槽へ供給可能で、前記浴槽側からの湯水の逆流を防止する２つの逆止弁を備えた落とし込み管と、を含んでなる風呂給湯器において、前記落とし込み管における前記２つの逆止弁との間に形成される分岐経路に設けられ、前記給湯回路側の水圧が前記浴槽側の水圧より高い場合には、前記分岐経路に設けた弁座に着座して前記分岐経路を閉塞する閉弁位置に動作し、前記給湯回路側の水圧が前記浴槽側の水圧より低い場合には、前記弁座から離間して前記分岐経路を開放する開弁位置に動作する縁切弁であって、
前記弁座との着座部分の外側に、前記開弁位置で前記弁座との間での湯水の滞留を防止する少なくとも１つの切欠きが形成されていることを特徴とする縁切弁。
【請求項２】
前記切欠きは、周方向に等間隔で複数設けられていることを特徴とする請求項１に記載の縁切弁。
【請求項３】
バーナ及び熱交換器を有する給湯回路と、前記給湯回路から外部の浴槽へ接続されて前記給湯回路からの湯を前記浴槽へ供給可能で、前記浴槽側からの湯水の逆流を防止する２つの逆止弁を備えた落とし込み管と、を含んでなる風呂給湯器であって、
前記落とし込み管における前記２つの逆止弁との間に形成される分岐経路に、請求項１又は２に記載の縁切弁を設けたことを特徴とする風呂給湯器。
【発明の詳細な説明】
【技術分野】
【０００１】
本発明は、給湯回路から浴槽へ湯水を供給可能とした風呂給湯器に用いられる縁切弁と、その縁切弁を設けた風呂給湯器とに関する。
【背景技術】
【０００２】
風呂給湯器には、バーナに加熱される熱交換器に、給水管と出湯管とを接続し、出湯管が繋がる外部の給湯栓の開栓により、外部の水道管を介して給水管から供給される水を加熱して出湯させる給湯回路と、同じ又は別の熱交換器に、外部の浴槽と接続される風呂往き管と風呂戻り管とを接続した風呂回路とを併設したものが知られている。ここでは給湯回路と風呂回路との間に落とし込み管を接続して、給湯回路で出湯された湯を落とし込み管から風呂回路を介して浴槽に供給して湯張り可能となっている。
このような風呂給湯器においては、特許文献１に開示されるように、落とし込み管に、浴槽側からの湯水の逆流を防止するための２個の逆止弁を直列的に配置して、逆止弁の間に、大気側へ開放する分岐経路を接続して、その分岐経路に、給湯回路側の圧力を受ける隔壁と、その隔壁と一体に動作する弁体とを備えた縁切弁を設けている。この縁切弁は、給湯回路側の水圧が浴槽側の水圧よりも高い通常時には、隔壁が給湯回路側の水圧を受けて弁体を閉弁動作させており、下流側の逆止弁からの逆流が生じて浴槽側の水圧が高くなると、隔壁が浴槽側の水圧を受けて弁体を開弁動作させ、逆止弁の間に逆流した湯水を分岐経路を介して排出させるようになっている。
【先行技術文献】
【特許文献】
【０００３】
【特許文献１】特開２００４−１５０６６２号公報
【発明の概要】
【発明が解決しようとする課題】
【０００４】
縁切弁の弁体は、隔壁に固着した保持部材の前端に、分岐経路の弁座に着座するリング状のシート部を設けてなり、逆流時には、隔壁と共に保持部材が後退してシート部を弁座から離間させる構造となっている。しかし、この開弁時の弁座とシート部との間の隙間（開度）が小さいため、逆流した湯水が当該隙間に張力によって残存し、湯水が分岐経路から排出されずにとどまってしまい、冬季には凍結するおそれがあった。
【０００５】
そこで、本発明は、開閉部分での残水を防止して水抜き性能を向上させることができる縁切弁及び風呂給湯器を提供することを目的としたものである。
【課題を解決するための手段】
【０００６】
上記目的を達成するために、請求項１に記載の発明は、バーナ及び熱交換器を有する給湯回路と、給湯回路から外部の浴槽へ接続されて給湯回路からの湯を浴槽へ供給可能で、浴槽側からの湯水の逆流を防止する２つの逆止弁を備えた落とし込み管と、を含んでなる風呂給湯器において、落とし込み管における２つの逆止弁との間に形成される分岐経路に設けられ、給湯回路側の水圧が浴槽側の水圧より高い場合には、分岐経路に設けた弁座に着座して分岐経路を閉塞する閉弁位置に動作し、給湯回路側の水圧が浴槽側の水圧より低い場合には、弁座から離間して分岐経路を開放する開弁位置に動作する縁切弁であって、
弁座との着座部分の外側に、開弁位置で弁座との間での湯水の滞留を防止する少なくとも１つの切欠きが形成されていることを特徴とする。
請求項２に記載の発明は、請求項１の構成において、切欠きは、周方向に等間隔で複数設けられていることを特徴とする。
上記目的を達成するために、請求項３に記載の発明は、バーナ及び熱交換器を有する給湯回路と、給湯回路から外部の浴槽へ接続されて給湯回路からの湯を前記浴槽へ供給可能で、浴槽側からの湯水の逆流を防止する２つの逆止弁を備えた落とし込み管と、を含んでなる風呂給湯器であって、
落とし込み管における２つの逆止弁との間に形成される分岐経路に、請求項１又は２に記載の縁切弁を設けたことを特徴とする。
【発明の効果】
【０００７】
請求項１及び３に記載の発明によれば、縁切弁における弁座との着座部分の外側に、開弁位置で弁座との間での湯水の滞留を防止する切欠きを形成したことで、縁切弁による開閉部分での残水を防止して水抜き性能を向上させることができる。
請求項２に記載の発明によれば、上記効果に加えて、切欠きを周方向に等間隔で複数設けているので、開閉部分での湯水の張力を確実に破壊でき、水抜き性能の一層の向上が期待できる。
【図面の簡単な説明】
【０００８】
【図１】風呂給湯器の概略回路図である。
【図２】風呂給湯器の外観説明図で、（Ａ）は正面、（Ｂ）は平面、（Ｃ）は側面をそれぞれ示す。
【図３】風呂給湯器の底面図である。
【図４】フロントカバーを省略した筐体内部の正面図である。
【図５】筐体とコントローラ及びこれに繋がる配線を省略した内部の正面図である。
【図６】図５の前方からの斜視図である。
【図７】図５の後方からの斜視図である。
【図８】図５のＡ−Ａ線拡大断面図である。
【図９】シート部及び外側保持部材の斜視図である。
【発明を実施するための形態】
【０００９】
以下、本発明の実施の形態を図面に基づいて説明する。
（風呂給湯器の概略構成）
図１は、風呂給湯器の一例を示す概略回路図である。この風呂給湯器１は、燃焼室２の下部に、互いに数が異なる複数のバーナ４，４・・を備えた３つのバーナユニット３，３・・と、各バーナユニット３に燃焼用空気を供給する燃焼ファン５とが設けられ、燃焼室２内の上部には、バーナ４，４・・の燃焼排気が通過する給湯熱交換器６と風呂熱交換器７とが併設されている。８は点火プラグ、９はフレームロッドで、燃焼室２の上部には、両熱交換器６，７を通過した燃焼排気を排出する排気フード１０が設けられ、燃焼室２の外側には、燃焼室２からの燃焼排気の漏出を検出するヒューズ回路をプリントしたシート状の過熱防止装置１１が巻回されている。
【００１０】
燃焼室２等を収容する器具のガス入口には、外部からのガス配管が接続されるガス管１２が接続されて、各バーナユニット３には、ガス管１２から分岐する分岐管１３，１３・・がそれぞれ接続されると共に、各分岐管１３には、ガス流路を開閉するガス電磁弁１４がそれぞれ設けられている。また、分岐前のガス管１２には、上流側から元ガス電磁弁１５、ガス比例弁１６がそれぞれ設けられている。
【００１１】
給湯熱交換器６は、所定間隔をおいて配設された複数のフィン１７，１７・・を蛇行状に貫通する給湯伝熱管１８を備え、給湯伝熱管１８の入口には、器具の水入口に接続される給水管１９が接続され、給湯伝熱管１８の出口には、器具の湯出口に接続される出湯管２０が接続されている。給湯熱交換器６の外側に露出する給湯伝熱管１８の屈曲部には、給湯伝熱管１８の温度を検出する水管サーミスタ２１が設けられている。また、給水管１９と出湯管２０との間には、給湯熱交換器６をバイパスするバイパス管２２が接続されて、給水管１９とバイパス管２２との接続部には、ステッピングモータにより駆動してバイパス管２２の流量を可変制御する分配弁２３が設けられている。
いる。
【００１２】
さらに、給水管１９におけるバイパス管２２との接続部の上流側には、入水温度を検出する入水サーミスタ２４と、給水管１９を流れる水量を検出する給湯水量センサ２５とが設けられている。
そして、出湯管２０における給湯熱交換器６の出口際には、出口温度を検出する給湯熱交換器サーミスタ２６が設けられ、バイパス管２２との接続部の下流側には、出湯温度を検出する給湯出湯サーミスタ２７と、ステッピングモータにより駆動して出湯管２０の流量を可変制御する水量制御弁２８が設けられている。
よって、ここには、バーナユニット３に加熱される給湯熱交換器６と、給湯熱交換器６に接続される給水管１９及び出湯管２０、バイパス管２２を含む給湯回路Ａが形成される。
【００１３】
一方、風呂熱交換器７は、フィン１７，１７・・を蛇行状に貫通する風呂伝熱管３０を備え、風呂伝熱管３０の入口には、外部配管を介して外部の浴槽３１のバスアダプタ３２と接続される風呂戻り管３３が接続され、風呂伝熱管３０の出口には、外部配管を介してバスアダプタ３２と接続される風呂往き管３４が接続されている。風呂戻り管３３には、ポンプ３５が設けられると共に、その上流側には、風呂戻り温度を検出する風呂戻りサーミスタ３６が設けられ、ポンプ３５の下流側には、風呂戻り管３３内の湯水の流れによってＯＮ／ＯＦＦ動作する風呂水流スイッチ３７と、水圧によって浴槽３１内の水位を検出する水位センサ３８が設けられている。また、風呂往き管３４には、風呂往き温度を検出する風呂往きサーミスタ３９が設けられている。
よって、ここには、バーナユニット３に加熱される風呂熱交換器７と、風呂熱交換器７と浴槽３１との間に接続される風呂戻り管３３及び風呂往き管３４とを含む風呂回路Ｂが形成される。
このように、風呂給湯器１は、１つの燃焼室２内に経路が異なる給湯熱交換器６と風呂熱交換器７とが併設されて共通のバーナユニット３，３・・によって加熱される１缶２水路型となっている。
【００１４】
そして、給湯回路Ａと風呂回路Ｂとの間には、出湯管２０における水量制御弁２８の下流側と、風呂戻り管３３におけるポンプ３５と風呂戻りサーミスタ３６の間で落とし込み管４１が接続されている。この落とし込み管４１には、上流側に、落とし込み管４１を流れる水量を検出する風呂水量センサ４２が、下流側に、落とし込み管４１を開閉する落とし込み水電磁弁４３がそれぞれ設けられている。さらに、落とし込み水電磁弁４３の下流側には、２つの逆止弁４４，４４がそれぞれ設けられて、逆止弁４４，４４の間には、風呂戻り管３３から逆流した湯水をオーバーフロー口から排出する縁切弁４５が接続されている。この縁切弁４５については後述する。
５０は、各サーミスタやセンサ等の検出信号を受けて各弁等を動作させて出湯温制御や浴槽３１への湯張り制御等を行うコントローラ、５１は給湯リモコン、５２は風呂リモコンである。
【００１５】
（風呂給湯器の通常動作）
この風呂給湯器１においては、通常の給湯は以下の如くなされる。
湯出口に接続された外部配管の給湯栓が開栓されて器具内に通水され、その通水を給湯水量センサ２５で検知すると、コントローラ５０は、燃焼ファン５を所定時間回転させて、燃焼室２内に貯留している燃焼排気を排出させる（プリパージ）。その後、ガス管１２の元ガス電磁弁１５、各ガス電磁弁１４を開弁させ、ガス比例弁１６を所定開度で開弁させて、各バーナユニット３へガスを供給すると共に、イグナイタを作動させて点火プラグ８でバーナ４，４・・に点火する。
これにより、給湯熱交換器６において、給湯伝熱管１８を流れる水がバーナ４の燃焼排気と熱交換されて、加熱された湯が出湯管２０及び外部配管を通って給湯栓から出湯される。
【００１６】
コントローラ５０は、出湯管２０の給湯熱交換器サーミスタ２６によって出口温度を監視し、分配弁２３のステッピングモータを駆動させて、出口温度が、給湯熱交換器６でのドレンの発生や過熱を防止できる温度範囲内に維持されるようにバイパス管２２への流量（バイパス率）を制御する。
また、給湯出湯サーミスタ２７によって出湯温度を監視し、出湯温度が給湯リモコン５１又は風呂リモコン５２によって指示された設定温度となるように、各ガス電磁弁１４の開閉制御と、ガス比例弁１６の開度調整とを行うと共に、燃焼ファン５の回転数制御によって空気量を連続的に変化させる。
給湯栓を閉じると、給湯水量センサ２５からの信号停止を確認したコントローラ５０は、元ガス電磁弁１５及びガス電磁弁１４を閉じてバーナ４を消火させ、所定時間燃焼ファン５を回転させる（ポストパージ）。
【００１７】
一方、給湯リモコン５１又は風呂リモコン５２の自動スイッチを押すと、コントローラ５０は、落とし込み管４１の落とし込み水電磁弁４３を開弁して給湯熱交換器６に通水させてバーナ４を燃焼させる。出湯管２０からの湯は、落とし込み管４１及び風呂戻り管３３を通って浴槽３１に供給される。落とし込み管４１に設けた風呂水量センサ４２で検出した水量が設定水量に達すると、落とし込み水電磁弁４３を閉じて通水を停止し、バーナ４を消火させる。
次に、ポンプ３５を作動させて、風呂熱交換器７と浴槽３１との間で湯を循環させる。このとき、風呂戻りサーミスタ３６と風呂往きサーミスタ３９とで循環する湯の温度を監視し、設定温度からの低下を確認すると、給湯時と同様にバーナ４，４・・が点火されると共に、燃焼ファン５によって燃焼用空気が供給される。よって、風呂熱交換器７と浴槽３１との間を循環する風呂循環水は、風呂伝熱管３０を流れる際にバーナ４の燃焼排気と熱交換されて設定温度まで加熱される。設定温度に達すると、バーナ４の燃焼を停止させ、ポンプ３５を停止させる。
【００１８】
（風呂給湯器の外観）
そして、図２は、風呂給湯器１の外観を示す説明図で、（Ａ）は正面、（Ｂ）は平面、（Ｃ）は側面をそれぞれ示している。この風呂給湯器１は、天板６１及び底板６２、左右の側板６３Ａ，６３Ｂ及び背板５４に囲まれて前面を開口する縦長箱状の筐体６０と、その筐体６０の前面を閉塞するフロントカバー６５とを有し、フロントカバー６５の上部に、排気フード１０の前方に設けられた横長筒状の排気口６６を突出させている。フロントカバー６５の下部及び側部には吸気口６７，６７・・が設けられている。
【００１９】
また、図３は、風呂給湯器１の底面図で、底板６２において、左側後方には、給水管１９を外部の水道管に接続するための水入口６８が設けられ、その前方には、出湯管２０を外部の給湯栓に接続するための湯出口６９が設けられている。また、右側前方には、風呂戻り管３３を浴槽３１に接続するための風呂戻り口７０が設けられ、中央後方には、風呂往き管３４を浴槽３１に接続するための風呂往き口７１が設けられている。中央部には、ガス管１２を外部のガス配管に接続するためのガス入口７２が設けられて、その前方には、電源線の引き込み口７３が設けられている。湯出口６９と引き込み口７３との間でやや前方には、後述する縁切弁ユニット８０の排水管８６が接続されるオーバーフロー口７４が設けられている。
【００２０】
（風呂給湯器の筐体内部）
図４は、フロントカバー６５を取り外した筐体６０内部の正面図、図５は、筐体６０と、コントローラ５０及びこれに繋がる配線とを省略した内部の正面図、図６はその前方からの斜視図、図７は後方からの斜視図である。
燃焼室２は、筐体６０内の上側に配置されて、バーナユニット３を収容する下ケーシング７５と、給湯熱交換器６及び風呂熱交換器７を収容する上ケーシング７６とを組み付けてなり、上ケーシング７６の上側に排気フード１０が組み付けられている。燃焼ファン５は、燃焼室２の下部後側に設けられて、燃焼室２の下部で筐体６０の開口際には、電装基板を正面視四角形状の箱体に収容してなるコントローラ５０が横向きに設置されている。
水入口６８に接続される給水管１９は、燃焼室２と筐体６０の左側の側板６３Ａとの間を通って上方向に配設され、上ケーシング７６の左側方から後方を通って右側方へ回り込んで、上ケーシング７６と右側の側板６３Ｂとの間を前方へ移動して、上ケーシング７６の右側面前側下部で給湯熱交換器６の給湯伝熱管１８に接続されている。
【００２１】
給湯側伝熱管１８は、給水管１９が接続される上ケーシング７６の右側面前側から上ケーシング７６内で、フィン１７，１７・・を蛇行状に貫通しながら後側へ配設された後、上ケーシング７６の後部で上側に移動し、今度はフィン１７，１７・・を蛇行状に貫通しながら前側へ配設されて、上ケーシング６の右側面前側上部で出湯管２０に接続されている。
出湯管２０は、上ケーシング７６の右側面前側上部から上ケーシング７６の前方へ引き回されて上ケーシング７６の前方を斜め下向きに横切った後、給水管１９の前方で、正面視で燃焼室２と左側の側板６３Ａとの間となるように下方向に屈曲して、水量制御弁２８を介して湯出口６９に接続されている。バイパス管２２も、燃焼室２と側板６３Ａとの間で上下方向に配設されている。
【００２２】
一方、風呂伝熱管３０は、上下に配設される給湯伝熱管１８の間でフィン１７，１７・・を蛇行状に貫通しながら前後方向に配設され、風呂伝熱管３０の前端は、上ケーシング７６の左側面前側中央部で風呂戻り管３３に接続され、後端は、上ケーシング７６の右側面後側中央部で風呂往き管３４に接続されている。
風呂戻り管３３は、上ケーシング７６の前方へ引き回されて、出湯管２０の後方で上ケーシング７６の前方を斜め下向きに横切って出湯管２０と正面視で交差した後、上ケーシング７６の右側を後方へ移動し、燃焼室２と右側の側板６３Ｂとの間で下向きに屈曲して、風呂水流スイッチ３７及びポンプ３５を介して風呂戻り口７０に接続されている。
風呂往き管３４は、上ケーシング７６の後方から左側へ回り込んだ後、給水管１９の後方で、正面視で燃焼室２と左側の側板６３Ａとの間となるように下方向に屈曲して、燃焼ファン５の後方で中央側へ斜めに折曲した後、風呂往き口７１に接続されている。
【００２３】
このように、給水管１９や出湯管２０、風呂戻り管３３、風呂往き管３４等の各配管は、正面視で下ケーシング７５やコントローラ５０の側方或いは後方に配設されてこれらの前側に位置しないので、フロントカバー６５を取り外せば、そのまま下ケーシング７５内のバーナユニット３やコントローラ５０等のメンテナンスを行うことができ、コントローラ５０等の着脱も配管が邪魔になることなく行える。特に、一缶二水型の燃焼室２では、狭いスペースでの引き回しの都合上、出湯管２０と風呂戻り管３３とは、燃焼室２からの引き出し側と底板６２への通常の接続側とが左右逆となっているが、下ケーシング７５の上側で互いに交差させて反対側へ配設しているので、引き出し側と底板６２への接続側とが左右逆でも下側のスペースは確保できる。
【００２４】
（縁切弁ユニット）
落とし込み管４１は、水量制御弁２８から上向きに配設されて、燃焼室２の下方左側で上下方向に配設された縁切弁ユニット８０を介して右側の風呂戻り管３３に接続されている。
この縁切弁ユニット８０は、図８に示すように、ユニットケース８１内に、落とし込み管４１と連通してその一部となる落とし込み経路８２を上下方向に備え、落とし込み経路８２内に、上下２つの逆止弁４４，４４を直列的に配置している。また、落とし込み経路８２において逆止弁４４，４４の間には、分岐経路８３が後ろ向きに分岐形成されると共に、分岐経路８３の下流側は、前側の排水路８４と後側の導入路８５とに分岐形成されている。排水路８４には、オーバーフロー口７４に接続される排水管８６が接続され、導入路８５には、給水管１９と接続される導入管８７が接続されている。
【００２５】
縁切弁４５は、分岐経路８３における排水路８４の上流側に設けられている。この縁切弁４５は、排水路８４と導入路８５との間を仕切る隔膜８８と、隔膜８８の上流側（図８の前側）で隔膜８８と一体に設けられ、排水路８４の上流側で分岐経路８３に設けた弁座８９に着座可能なシート部９１を備えた弁体９０とを備える。シート部９１はＯリング等の弾性リングで、弁体９０は、前面にシート部９１を保持して後端が隔膜８８に結合される外側保持部材９２と、外側保持部材９２の前面に嵌着されてシート部９１を内側から押圧固定する円盤状の内側保持部材９３とを備えている。
このうち外側保持部材９２は、図９に示すように、正面視が円形状を有し、前面には、シート部９１が保持されるリング状の凹溝９４が形成されると共に、前面の中心には、内側保持部材９３が嵌合される突起９５が突設されている。また、前端外周には、凹溝９４を部分的に外側と連通させる四角形状の切欠き９６，９６・・が、周方向に等間隔をおいて形成されている。
【００２６】
以上の如く構成された風呂給湯器１において、縁切弁ユニット８０では、通常時は、導入管８７から導入路８５に加わる給湯回路Ａ側の水圧が、落とし込み経路８２から分岐経路８３に加わる浴槽３１側の水圧よりも高いため、隔壁８８が導入路８５側の水圧を受けて弁体９０を前方へ移動させ、シート部９１を弁座８９に着座させて弾性変形させ、分岐経路８３を閉塞する閉弁状態となる。
そして、下流側の逆止弁４４からの逆流が生じて落とし込み経路８２から分岐経路８３に加わる水圧が導入路８５側の水圧より高くなると、隔壁８８が浴槽３１側の水圧を受けて弁体９０を後方へ移動させ、シート部９１を弁座８９から離間させる開弁状態となる。よって、逆流した湯水は、分岐経路８３から排水路８４へ流れ込み、排水路８４から排水管８６を介してオーバーフロー口７４から排出される。
この開弁時に、弁座８９とシート部９１との離間距離（開度）が小さいと、張力によって湯水が、弁座８９とシート部９１及び外側保持部材９２の前端との間にとどまろうとするが、外側保持部材９２の前端外周には切欠き９６，９６・・が形成されているので、張力が破壊されて湯水がとどまることがない。よって、分岐経路８３に逆流した湯水は、排水路８４へ確実に排出され、冬季に凍結するおそれも生じなくなる。
【００２７】
（縁切弁に係る発明の効果）
このように、上記形態の縁切弁４５及び風呂給湯器１によれば、縁切弁４５における弁座８９との着座部分（シート部９１）の外側に、開弁位置で弁座８９との間での湯水の滞留を防止する切欠き９６を形成したことで、縁切弁４５による開閉部分での残水を防止して水抜き性能を向上させることができる。
特にここでは、切欠き９６を周方向に等間隔で複数設けているので、開閉部分での湯水の張力を確実に破壊でき、水抜き性能の一層の向上が期待できる。
【００２８】
なお、切欠きの数や形状は上記形態に限らず、数は１つであってもよいし、５つ以上であってもよい。また、切欠きの形状はＶ字状や半円状等の他の形状であってもよいし、周方向に長く形成しても差し支えない。
また、縁切弁自体の構成も上記形態に限らず、外側保持部材と内側保持部材とのそれぞれの形状は適宜変更可能であるし、外側と内側とでなく軸方向に２分割される半割部材から弁体を形成してもよい。さらに、２部材からに限らず、３部材以上で弁体を形成することも可能である。
【００２９】
一方、上記形態では、一缶二水路型の風呂給湯器で説明しているが、縁切弁に係る発明は一缶二水路型に限らず、給湯熱交換器を有する給湯燃焼室と、風呂熱交換器を有する風呂燃焼室とを別個に備えて風呂回路が給湯回路と分離して形成される風呂給湯器であっても差し支えない。
そして、縁切弁に係る発明では、風呂熱交換器と浴槽との間を繋ぐ風呂戻り管及び風呂往き管は必須ではなく、給湯回路の出湯管を浴槽と接続する落とし込み管のみを備える風呂給湯器であっても適用可能である。バイパス管も必須ではない。
【００３０】
（配管の交差に係る発明の効果）
上記形態の風呂給湯器１によれば、燃焼室２からの引き出し側と底板６２での外部配管との接続側とが左右逆となる配管（出湯管２０と風呂戻り管３３）は、燃焼室２から引き出された後、給湯熱交換器６及び風呂熱交換器７の前方で互いに交差して外部配管との接続側へ引き回されていることで、燃焼室２においてバーナユニット３が収容される下ケーシング７５の前方や燃焼室２の下方には配管が通らないように配設できる。従って、配管が邪魔になることなくバーナユニット３やコントローラ５０等のメンテナンスが行え、一缶二水路型であってもメンテナンスに係る作業性を向上させることができる。
特にここでは、燃焼室２からの引き出し側と外部配管との接続側とが左右逆となる２本の配管は、出湯管２０及び風呂戻り管３３であるので、底板６２での接続側が左右に離れる両配管を、筐体２内で邪魔になることなく省スペースで配設することができる。
【００３１】
なお、上記形態では、出湯管を前、風呂戻り管を後にして交差させているが、前後逆に交差させても差し支えない。
また、交差させる配管は出湯管と風呂戻り管とに限らず、燃焼室からの引き出し側によっては、給水管と風呂戻り管とを交差させたり等、上記形態に限定されない。
さらに、交差させる配管は２本に限らず、３本以上で交差させることも可能である。
【００３２】
その他、上記形態では、一方の熱交換器を給湯に、他方の熱交換器を浴槽の追い焚きに用いているが、配管の交差に係る発明はこれに限らず、例えば他方の熱交換器を床暖房機等に接続して暖房用とするものであっても適用可能である。すなわち、一缶二水路の用途については上記形態の給湯器に限定されない。
【符号の説明】
【００３３】
１・・風呂給湯器、２・・燃焼室、３・・バーナユニット、４・・バーナ、５・・燃焼ファン、６・・給湯熱交換器、７・・風呂熱交換器、１２・・ガス管、１７・・フィン、１８・・給湯伝熱管、１９・・給水管、２０・・出湯管、２２・・バイパス管、２５・・給湯水量センサ、２８・・水量制御弁、３０・・風呂伝熱管、３１・・浴槽、３３・・風呂戻り管、３４・・風呂往き管、３５・・ポンプ、４１・・落とし込み管、４４・・逆止弁、４５・・縁切弁、５０・・コントローラ、６０・・筐体、６２・・底板、６５・・フロントカバー、６８・・水入口、６９・・湯出口、７０・・風呂戻り口、７１・・風呂往き口、７４・・オーバーフロー口、７５・・下ケーシング、７６・・上ケーシング、８０・・縁切弁ユニット、８１・・ユニットケース、８２・・落とし込み経路、８３・・分岐経路、８４・・排水路、８５・・導入路、８６・・排水管、８７・・導入管、８８・・隔膜、８９・・弁座、９０・・弁体、９１・・シート部、９２・・外側保持部材、９３・・内側保持部材、９４・・凹溝、９６・・切欠き。
【図１】
2019066111.tif 000003
【図２】
2019066111.tif 000004
【図３】
2019066111.tif 000005
【図４】
2019066111.tif 000006
【図５】
2019066111.tif 000007
【図６】
2019066111.tif 000008
【図７】
2019066111.tif 000009
【図８】
2019066111.tif 000010
【図９】
2019066111.tif 000011